【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
結像レンズによって所定面に形成された１次像をカメラ本体に含まれる撮影レンズに導光するアタッチメント光学系であって、
該アタッチメント光学系は前記カメラ本体に着脱可能であり、
前記アタッチメント光学系は、最も大きい空気間隔を隔てて、物体側から像側へ順に負の屈折力の第１レンズ群、正の屈折力の第２レンズ群からなり、
前記第１レンズ群の焦点距離をｆ１、前記アタッチメント光学系の全系の焦点距離をｆ、前記所定面から前記アタッチメント光学系の最も物体側のレンズ面までの距離をｄ１、前記アタッチメント光学系の最も物体側のレンズ面から最も像側のレンズ面までの距離をＬとするとき、
−３．５＜ｆ１／ｆ＜−０．１
０．１＜ｄ１／Ｌ＜１．６
なる条件式を満足することを特徴とするアタッチメント光学系。
【請求項２】
前記第２レンズ群の焦点距離をｆ２とするとき、
０．１＜ｆ２／ｆ＜１．８
なる条件式を満足することを特徴とする請求項１に記載のアタッチメント光学系。
【請求項３】
前記第１レンズ群と前記第２レンズ群の間隔をｄとするとき、
０．０５＜ｄ／ｆ＜１．０
なる条件式を満足することを特徴とする請求項１又は２に記載のアタッチメント光学系。 
【請求項４】
前記第１レンズ群は、像側に凹面を向けた負レンズを有し、前記第２レンズ群は、像側に凸面を向けた正レンズを有し、前記正レンズの像側のレンズ面の曲率半径をＲｐ２、前記負レンズの像側のレンズ面の曲率半径をＲｎ２とするとき、
０．５＜Ｒｐ２／Ｒｎ２＜５．０
なる条件式を満足することを特徴とする請求項１乃至３のいずれか１項に記載のアタッチメント光学系。
【請求項５】
拡散性を有する平行平板をさらに有し、
前記所定面は、前記平行平板上に位置し、
前記１次像は、前記アタッチメント光学系の物体側に取り外し可能に装着された結像レンズによって前記所定面に結像されることを特徴とする請求項１乃至４のいずれか１項に記載のアタッチメント光学系。
【請求項６】
被写体像を前記所定面に結像する結像レンズと、カメラ本体と、前記結像レンズと前記カメラ本体との間に取り外し可能に装着される請求項１乃至５のいずれか１項に記載のアタッチメント光学系とを有することを特徴とする撮像装置。
【請求項７】
前記撮像装置において得られた画像に対して画像処理を行うことで、前記撮像装置に含まれる光学系によって生じる収差を補正する補正手段を有することを特徴とする請求項６に記載の撮像装置。
【手続補正２】
【補正対象書類名】明細書
【補正対象項目名】００１０
【補正方法】変更
【補正の内容】
【００１０】
本発明のアタッチメント光学系は、結像レンズによって所定面に形成された１次像をカメラ本体に含まれる撮影レンズに導光するアタッチメント光学系であって、
該アタッチメント光学系は前記カメラ本体に着脱可能であり、
前記アタッチメント光学系は、最も大きい空気間隔を隔てて、物体側から像側へ順に負の屈折力の第１レンズ群、正の屈折力の第２レンズ群からなり、
前記第１レンズ群の焦点距離をｆ１、前記アタッチメント光学系の全系の焦点距離をｆ、前記所定面から前記アタッチメント光学系の最も物体側のレンズ面までの距離をｄ１、前記アタッチメント光学系の最も物体側のレンズ面から最も像側のレンズ面までの距離をＬとするとき、
−３．５＜ｆ１／ｆ＜−０．１
０．１＜ｄ１／Ｌ＜１．６
なる条件式を満足することを特徴としている。
【手続補正３】
【補正対象書類名】明細書
【補正対象項目名】００１３
【補正方法】変更
【補正の内容】
【００１３】
本発明のアタッチメント光学系及びそれを有する撮像装置について説明する。本発明のアタッチメント光学系は、結像レンズとカメラ本体に含まれる撮影レンズとの間であって、カメラ本体に取り外し可能（着脱可能）に装着される。そして結像レンズによって所定面に形成された１次像をカメラ本体内の撮影レンズに導光する。撮影レンズは所定面に形成された１次像をアタッチメント光学系を介して撮像素子に再結像する。アタッチメント光学系は、最も大きい空気間隔を隔てて、物体側から像側へ順に負の屈折力の第１レンズ群、正の屈折力の第２レンズ群からなっている。
【手続補正４】
【補正対象書類名】明細書
【補正対象項目名】００１６
【補正方法】変更
【補正の内容】
【００１６】
レンズ断面図において、Ａｔはアタッチメント光学系であり、最も広い空気間隔を隔てて負の屈折力の第１レンズ群Ａｎと、正の屈折力の第２レンズ群Ａｐを有している。アタッチメント光学系Ａｔは更に拡散性のある平行平板２１を有する。Ｚｍはアタッチメント光学系Ａｔを装着するカメラ本体内の撮影レンズである。撮影レンズＺｍにおいてＳＰは絞り又は光量調整装置、ＧＢはフェースプレートやローパスフィルター等のガラスブロック、ＩＰは像面であり、撮像素子が配置されている。
【手続補正５】
【補正対象書類名】明細書
【補正対象項目名】００２０
【補正方法】変更
【補正の内容】
【００２０】
２０はアタッチメント光学系であり、カメラ本体３０の物体側（結像レンズ１０側）に取り外し可能に装着され、結像レンズ１０によって所定面２１に結像した物体像からの光束を後続する撮影レンズ３１に導光している。アタッチメント光学系２０は負の屈折力の第１レンズ群２２と正の屈折力の第２レンズ群２３を有している。３０はカメラ本体であり、撮影レンズ３１と撮影レンズ３１によって形成された像を受光するＣＣＤセンサやＣＭＯＳセンサなどの固体撮像素子（撮像素子）３２を内蔵している。
【手続補正６】
【補正対象書類名】明細書
【補正対象項目名】００４１
【補正方法】変更
【補正の内容】
【００４１】
さらに、各実施例の撮像装置においては、撮像装置において得られた画像に対して画像処理を行うことで光学系によって生ずる収差を補正する補正手段を有する。これは、銀塩フィルムとは異なり、デジタルカメラなどでは画像をデジタルデータとして取得できるという特性を利用し、撮影レンズから得られた画像に対して画像変換処理を施し、諸収差を低減させた画像を得ている。電気的な収差補正には、電子歪曲収差補正や電子倍率色収差補正がある。電子歪曲収差補正では、ズーム位置、被写体距離、像高ごとに決められた量だけ画像の拡大または縮小を行うことにより歪曲収差を低減して、歪みの少ない画像を得ている。
【手続補正７】
【補正対象書類名】明細書
【補正対象項目名】００５１
【補正方法】変更
【補正の内容】
【００５１】
●アタッチメント光学系
［数値実施例１］
単位 mm
面データ
面番号       r        d      nd         νd
1          ∞       4.57   1.83400    37.2           
2        -65.476    3.83                             
3       -166.712    1.80   1.80518    25.4           
4         24.221   26.31                             
5        109.568    1.90   1.92286    18.9           
6         60.473    9.99   1.80400    46.6           
7        -47.520   12.50                             
各種データ
焦点距離      10.72  
Fナンバー      1.77  
半画角（度）   17.94  
像高           3.47  
レンズ全長   125.66  
BF            10.27  
【手続補正８】
【補正対象書類名】明細書
【補正対象項目名】００５２
【補正方法】変更
【補正の内容】
【００５２】
［数値実施例２］
単位 mm
面データ
面番号       r        d      nd         νd
1      -1103.187    2.83   1.92286    18.9           
2         32.660   12.12                               
3         63.471   10.83   1.71300    53.9           
4        -44.074   12.50                               
各種データ
焦点距離      10.30  
Fナンバー      1.80  
半画角（度）   18.62  
像高           3.47  
レンズ全長   102.30  
BF            11.01  
【手続補正９】
【補正対象書類名】明細書
【補正対象項目名】００５３
【補正方法】変更
【補正の内容】
【００５３】
［数値実施例３］
単位 mm
面データ
面番号       r        d      nd         νd
1       3852.940    3.72   1.83481    42.7           
2       -112.114    9.73                             
3       -173.321    1.81   1.84666    23.9           
4         28.983   19.62                             
5         71.579    8.19   1.71300    53.9           
6        -51.894   12.50                              
各種データ
焦点距離      14.53  
Fナンバー      1.77  
半画角（度）   13.44  
像高           3.47  
レンズ全長   119.03  
BF            10.82  
【手続補正１０】
【補正対象書類名】明細書
【補正対象項目名】００５４
【補正方法】変更
【補正の内容】
【００５４】
［数値実施例４］
単位 mm
面データ
面番号       r        d      nd         νd
1        138.810    1.80   1.80518    25.4           
2         26.944    6.02                             
3       -226.440    2.81   1.83400    37.2           
4        -88.376   25.00                               
5        139.371    1.90   1.94595    18.0           
6         72.292    8.07   1.77250    49.6           
7        -49.354   12.50                           
各種データ
焦点距離      12.73  
Fナンバー      1.74  
半画角（度）   15.26  
像高           3.47  
レンズ全長   121.47  
BF             9.87  
【手続補正１１】
【補正対象書類名】明細書
【補正対象項目名】００５５
【補正方法】変更
【補正の内容】
【００５５】
［数値実施例５］
単位 mm
面データ
面番号       r        d      nd         νd
1        111.387    2.17   1.48749    70.2           
2         28.153   33.51                               
3         68.774    1.92   1.84666    23.9           
4         37.937   11.44   1.71300    53.9           
5        -72.421   15.36                               
各種データ
焦点距離      15.17  
Fナンバー      1.81  
半画角（度）   12.89  
像高           3.47  
レンズ全長   127.81  
BF            10.01  
【手続補正１２】
【補正対象書類名】明細書
【補正対象項目名】００５６
【補正方法】変更
【補正の内容】
【００５６】
［数値実施例６］
単位 mm
面データ
面番号       r        d      nd         νd
1         88.287    9.56   1.88300    40.8           
2        -39.005    1.95   1.84666    23.9           
3         25.088   19.62                             
4         64.443    9.81   1.71300    53.9           
5        -49.924   12.50                             
各種データ
焦点距離      13.27  
Fナンバー      1.76  
半画角（度）   14.67  
像高           3.47  
レンズ全長   117.11  
BF             9.98  
【手続補正１３】
【補正対象書類名】明細書
【補正対象項目名】００５７
【補正方法】変更
【補正の内容】
【００５７】
［数値実施例７］
単位 mm
面データ
面番号       r        d      nd         νd
1         33.181    2.00   1.94595    18.0           
2         24.556    4.27                             
3         32.837   10.97   1.71300    53.9           
4        -64.602   16.68                             
各種データ
焦点距離      10.82  
Fナンバー      2.03  
半画角（度）   7.22  
像高           1.37  
レンズ全長    94.31  
BF             8.27  
【手続補正１４】
【補正対象書類名】明細書
【補正対象項目名】００５８
【補正方法】変更
【補正の内容】
【００５８】
［数値実施例８］
単位 mm
面データ
面番号       r        d      nd         νd
1        -62.258    2.14   2.00069    25.5           
2         77.830   17.84                             
3       1215.956    8.46   1.51633    64.1           
4        -65.170   18.03                             
5        135.361    2.00   1.92286    18.9           
6         71.735    8.91                             
7        104.054   18.35   1.78590    44.2           
8        -93.982                              
各種データ
焦点距離      13.95  
Fナンバー      2.45  
半画角（度）   12.25  
像高           3.03  
レンズ全長   232.75  
BF            24.44  
【手続補正１５】
【補正対象書類名】明細書
【補正対象項目名】００６０
【補正方法】変更
【補正の内容】
【００６０】
非球面データ
第12面
K =-1.07783e+000  A 4= 8.19258e-006  A 6=-2.80408e-007 
A 8= 1.80519e-009  A10=-2.77065e-011  
第17面
K = 2.68490e+000  A 4=-1.85266e-004  A 6=-9.61889e-007 
A 8=-2.57003e-008  
各種データ
ズーム比      9.81 
広角     中間     望遠
焦点距離       6.60    27.48    64.77  
Fナンバー      1.85     2.70     3.00  
半画角（度）   27.87     7.24     3.09  
像高           3.49     3.49     3.49  
レンズ全長    65.84    65.84    65.84  
BF            10.10    13.48     5.90  
d 5            0.70    15.06    20.10  
d11           20.24     5.88     0.84  
d18            5.98     2.60    10.18  
d21            7.82    11.20     3.62  
ズームレンズ群データ
群  始面    焦点距離  
1    1      34.05  
2    6      -7.75  
3   12      18.85  
4   19      20.27  
【手続補正１６】
【補正対象書類名】明細書
【補正対象項目名】００６２
【補正方法】変更
【補正の内容】
【００６２】
非球面データ
第13面
K =-1.18213e+000  
A 5= 2.41938e-006  A 7=-4.67393e-007  A 9= 1.84465e-008  
第14面
K =-1.33778e+001  
A 5=-1.79477e-006  
各種データ
ズーム比     34.54 
広角     中間     望遠
焦点距離       2.66    15.08    91.98  
Fナンバー      2.06     2.46     5.25  
半画角（度）   28.91     5.57     0.92  
像高           1.47     1.47     1.47  
レンズ全長    60.99    60.99    60.99  
BF             8.64    12.70     4.88  
d 5            0.65    15.94    22.49  
d11           23.14     7.85     1.30  
d16            7.68     3.62    11.45  
d19            5.97    10.04     2.21  
ズームレンズ群データ
群  始面    焦点距離  
1    1      31.50  
2    6      -4.49  
3   12      18.89  
4   17      13.11  
【手続補正１７】
【補正対象書類名】明細書
【補正対象項目名】００６４
【補正方法】変更
【補正の内容】
【００６４】
非球面データ
第12面
K =-1.15140e+001  A 4= 5.79349e-005  A 6=-1.13010e-007 
A 8= 1.55836e-009  A10= 2.86348e-012  A12=-4.39464e-015  
第23面
K = 4.24639e+000  A 3= 1.88268e-005  A 5=-2.08701e-006 
A 7=-3.11766e-009  A 9= 1.51363e-010  A11=-8.73564e-013  
第24面
K =-4.83221e+000  A 3= 1.76699e-006  A 5=-3.72328e-006 
A 7= 2.17282e-008  A 9=-7.42060e-011  
第28面
K =-4.95770e-003  A 4= 1.93615e-005  A 6=-2.26752e-007 
A 8= 1.96720e-009  A10= 1.98174e-011  
第29面
K =-7.16370e+000  A 4= 3.03042e-005  A 6=-2.02825e-007 
A 8= 1.98951e-009  A10= 2.14017e-011  
各種データ
ズーム比     17.94 
広角     中間     望遠
焦点距離       4.32    24.24    77.54  
Fナンバー      2.46     2.43     2.44  
半画角（度）   35.02     7.12     2.24  
像高           3.03     3.03     3.03  
レンズ全長   153.99   153.99   153.99  
BF            23.28    27.16    24.14  
d 8            0.86    35.52    46.46  
d16           48.57    13.91     2.97  
d22            4.00     4.00     4.00  
d27           14.14    10.26    13.28  
d32            4.30     8.18     5.16  
ズームレンズ群データ
群  始面    焦点距離  
1    1      66.57  
2    9     -10.95  
3   17     -54.88  
4   23      38.58  
5   28      25.48